(57)【特許請求の範囲】
【請求項１】
自動改札機との近距離通信手段を有するＩＣモジュールが組み込まれた少なくとも表示手段、通信手段を有する携帯端末を利用したシステムであって、前記ＩＣモジュールには乗車券類データ及び電子財布が格納され、携帯端末を自動改札機にかざすことにより自動改札機とＩＣモジュールとの近距離通信により自動改札可能であり、乗車券類データで出場する場合、料金不足のとき電子財布から不足分を補充するようにしたことを特徴とする携帯端末型電子乗車券システム。
【請求項２】
前記乗車券類データは、携帯端末の通信手段を介してＩＣモジュールに取り込まれて充填されることを特徴とする請求項１記載の携帯端末型電子乗車券システム。
【請求項３】
前記乗車券類データは、ＩＣモジュールに組み込まれた近距離通信手段を介して充填されることを特徴とする請求項１記載の携帯端末型電子乗車券システム。
【請求項４】
前記乗車券類データの決済を携帯端末の通信手段を介して行うことを特徴とする請求項１乃至３いずれか記載の携帯端末型電子乗車券システム。
【請求項５】
前記乗車券類データの決済をＩＣモジュールに組み込まれた近距離通信手段を介して行うことを特徴とする請求項１乃至３いずれか記載の携帯端末型電子乗車券システム。
【発明の詳細な説明】
【０００１】
【発明の属する技術分野】
本発明は乗車券類データが格納され、自動改札機と近距離通信可能なＩＣモジュールを組み込んだ携帯端末型電子乗車券システムに関する。
【０００２】
【従来の技術】
現在は殆どの駅に自動改札機が設置されて改集札の円滑化に貢献している。ところで磁気券を利用した自動改札機の場合、乗車券を投入してこれを機械的に搬送し、磁気カードと磁気ヘッドとの摺動によりデータの読み書きを行っているため、搬送系や磁気情報の読み書き部分のトラブルが生じ易い。この対策として、本出願人は自動改札機との通信機能を付加するとともに乗車券データを格納したＩＣカードを利用して、自動改札機にＩＣカードをかざすだけで改札可能にするシステムを既に提案している。
【０００３】
【発明が解決しようとする課題】
ところで、上記提案のようにＩＣカードに乗車券データを格納した場合、例えば定期券の有効期限が切れたり、ＳＦカードの残額が０となったように乗車券データが使用し尽くされたとき、いちいち駅でＩＣカードをリーダ／ライタにかけて乗車券データを充填する必要があり、その作業が煩雑である。また、ＩＣカードはその内容を直接目で見ることができないため、例えば、定期券の有効期限が何時か、或いはＳＦ（ストアード・フェア）カードの残額がいくらか等を知ることができない。内容をチェックするには、ＩＣカードをリーダ／ライタにかける必要があるが、これもいちいち駅に行かなければならない。
【０００４】
本発明は上記課題を解決するためのもので、何時でもどこでも乗車券類データの充填が可能であり、さらに乗車券類データの内容を目で確認することができる携帯端末型電子乗車券システムを提供することを目的とする。
【０００５】
【課題を解決するための手段】
本発明は、自動改札機との近距離通信手段を有するＩＣモジュールが組み込まれた少なくとも表示手段、通信手段を有する携帯端末を利用したシステムであって、前記ＩＣモジュールには乗車券類データ及び電子財布が格納され、携帯端末を自動改札機にかざすことにより自動改札機とＩＣモジュールとの近距離通信により自動改札可能であり、乗車券類データで出場する場合、料金不足のとき電子財布から不足分を補充するようにしたことを特徴とする。
【０００６】
【発明の実施の形態】
図１は本発明の携帯端末型電子乗車券システムの概念図、図２は電子乗車券システムの機能ブロック図である。
図１において、携帯端末１には自動改札機３と直接近距離通信可能なＩＣチップ２が組み込まれている。携帯端末１は携帯電話、手帳型の電子機器等持ち運び可能な小型電子機器であって、通信手段を有するか、或いは通信手段を付加することにより通信可能となるもので、液晶画面等からなる表示装置を有している。携帯端末１に組み込まれたＩＣチップ２はさまざまな用途に使用され、その機能の一部として、特急券、指定券、普通乗車券、定期券、ＳＦ券等のあらゆる種類の乗車券類データを格納可能にして、これらのデータを格納した場合に電子乗車券として用いられ、そのための近距離通信手段、例えばアンテナコイル（図示せず）を有していて、自動改札機３と通信可能になっている。電子乗車券として使用した場合の残り有効期間や金額は表示装置に表示され、内容を確認することができる。
【０００７】
乗車券類を使用し尽くしたときは、携帯端末１の通信手段を通して図示しない電子乗車券発券システム（ホストコンピュータ）から再充填可能であり、いちいち駅に出向かなくても何時でもどこでも再充填することができる。この場合、金融機関やクレジット会社等に開設されている利用者の口座に対してホストコンピュータが照会できるようになっている。そして、携帯端末１から口座番号やカード番号とともに、暗証番号を送信すると、ホストコンピュータは利用者の口座に照会をかけて残額等を確認し、必要なデータを携帯端末１へ送信して予約販売する。このとき金融機関やクレジット会社側では本人確認の認証を行った後、所定の金額を引き落として決済を行う。また、携帯端末では受信した乗車券類データがＩＣチップのメモリに格納され、再び携帯端末を電子乗車券として機能させることができる。
【０００８】
自動改札機３は、磁気乗車券の他に携帯端末１により非接触で改集札ができるようになっていて、ＩＣチップ２と通信可能なアンテナ及びリーダ／ライタ（図示せず）が設けられており、ＩＣチップ２のコイルとの無線結合により、非接触でＩＣチップのデータを読み取り、また、ＩＣチップにデータを書き込めるようになっている。そして、磁気乗車券を投入するか、或いは携帯端末１をかざすと、自動改札機の表示部に所定のメッセージを表示して前後部に設けられたドアを開閉制御している。
【０００９】
次に、図２の機能ブロック図を参照してさらに電子乗車券システムについて説明する。
携帯端末は、携帯端末機能部とＩＣチップ機能部とからなっていて、携帯端末機能部は、通信装置１１、表示装置１２、入力装置１３、記憶装置１４、ＣＰＵからなるデータ処理制御装置１５から構成される。通信装置１１はホストコンピュータや他の電子機器との通信を行うためのもので、所定周波数帯域の電波が用いられる。表示装置１２は液晶、発光ダイオード、ＥＬ等任意の発光素子が用いられ、ＩＣチップや携帯端末に格納されている内容、通信内容を表示するためのものである。入力装置１３はキーボード、タッチパネル等任意の入力手段が使用でき、電話番号、メールアドレス、メッセージ等を入力するためのものである。記憶装置１４は電話番号、通信内容等を記憶するためのものである。データ処理制御装置１１は各装置を制御するとともに、必要なデータを取り込んで処理したり、データを出力する。また、ＩＣチップ側のインタフェース２１との間でデータのやりとりを行っている。
【００１０】
ＩＣチップ機能部は、インタフェース２１、ＣＰＵからなる演算処理装置２２、記憶装置２３、通信装置２４から構成されている。インタフェース２１は携帯端末側とのデータのやりとりを行うためのものである。演算処理装置２２はインタフェース２１を通して携帯端末側とデータのやりとりを行って必要なデータ処理を行うとともに、各装置を制御するためのものである。記憶装置２３は携帯端末を通して取り込まれた乗車券類データや、予め一定金額を格納してその金額範囲で財布として使える電子財布等が格納される。通信装置２４は、例えばアンテナコイルからなり、自動改札機から放射される所定範囲の電場領域において自動改札機と通信するためのものである。
【００１１】
このような構成において、電子乗車券としては自動改札機から放射される所定範囲の電場領域に携帯端末１をかざすと、自動改札機と携帯端末は通信可能となり、自動改札機３からデータ読み出し命令がＩＣチップ側に送られ、ＩＣチップ側では記憶装置２３に格納されている乗車券類のデータを読み出して自動改札機からの電波を変調して送り返し、自動改札機では送り返されたデータから乗車券類が有効か否かを判断して改札機の扉の開閉を制御する。有効であった場合にはさらに書き込みデータをＩＣチップ側に送り、これを受信すると演算処理装置２２は、入出場があったことを示すフラグを立てたり、ＳＦ券であれば減額の書き込み処理を行う。なお、ＳＦ券等の場合には、内容が空になったとき電子財布から補充できるようにしてもよく、また、普通乗車券等で出場する場合、料金不足の場合には電子財布からその分を補充するようにしてもよい。
【００１２】
記憶装置２３の乗車券類データの内容は、演算処理装置２２で読み出し、インタフェース２１を通して携帯端末側に送り、表示装置１２で表示して確認ができる。確認した結果、乗車券類データがないため充填する必要がある場合は、入力装置１３からホストコンピュータの電話番号を入力して通信装置１１を通してこれを呼出し、口座番号やカード番号とともに、暗証番号を入力して送信すると、ホストコンピュータは金融機関やクレジット会社に開設されている利用者の口座に照会をかけ、残額等を確認して乗車券類データを通信装置１１に送って予約販売し、金融機関やクレジット会社側では認証後、所定の金額を引き落として決済する。携帯端末で受信した乗車券類データは、データ処理制御装置１５、インタフェース２１を通してＩＣチップ側に送られて格納され、再び電子乗車券として機能させることができる。
【００１３】
なお、本発明は上記説明に限定されるものではなく、いろいろな変形が可能である。例えば、充填、決済は駅等に設けたリーダライタでＩＣチップ機能部の通信装置との通信でも行うようにすることができる。また、ＩＣチップはＣＰＵを有しないハードロジックＩＣでもよく、また、乗車券類のデータを格納するメモリ機能と、格納されたデータが書き換えできる素子、例えばスマートカード、メモリスティック、メモリカード等任意のＩＣモジュールが使用可能である。
【００１４】
【発明の効果】
以上のように本発明によれば、通信機能、表示機能を有する携帯端末に自動改札機と直接近距離通信して電子乗車券として機能するＩＣモジュールを組み込むようにしたので、携帯端末またはＩＣモジュールの通信機能により電子乗車券のデータを充填して電子決済でき、手間のかかる従来の発券処理を省き、利用者は何時でもどこでも迅速に乗車券類を入手することが可能となり、また、いちいち駅に行かなくてもその内容を目で確認することが可能となる。
【図面の簡単な説明】
【図１】  本発明の携帯端末型電子乗車券システムの概念図である。
【図２】  本発明の電子乗車券システムの機能ブロック図である。
【符号の説明】
１…携帯端末、２…ＩＣチップ、３…自動改札機。
【図１】
0003765528.tif 000002
【図２】
0003765528.tif 000003